(57)【要約】【課題】  障害者  年輩者  婦人  ネクタイを自分の手で結びたくない紳士の方方に提案する【解決手段】  本発明のネクタイ装着部材は襟の廻りを回したネクタイを襟の前で１回捻って一方の端を前記捻った部分の後ろから捻った部分を越して前方え垂らして他方の端の上に重ねった状態で前記捻った部分の下の位置に装着部材を取り付け、ネクタイを三角形状に決定し美しく三角形状を固定化する又縫製に依り、良く、美しく可動片（４）の端に抜け止め防止具を見え隠れる位置又は見える所に装飾品として取り付ける最高の喜びを味あえる。【選択図】図６
2012007282.tif 000002
【特許請求の範囲】
【請求項１】
ネクタイ又はスカーフの生地を輪にする結び目と此の結び目の形状を固定する固定手段と生地の一端に設けた可動片を備え前記可動片に依り前記結び目を通つて輪の大きさを調節する事を特徴とする結ばなくても良いネクタイ又はスカーフ。
【請求項２】
結び目から可動片が抜ける事を防止した抜け止め防止具を可動片に備えた請求項１に記載の結ばなくても良いネクタイ又はスカーフ。
【請求項３】
結び目の内部に形状を保持する化粧板を備えつた請求項１又は請求項２のいずれの１項に記載の結ばなくても良いネクタイ又はスカーフ。
【請求項４】
化粧板に穴を設けた請求項３に記載の結ばなくても良いネクタイ又はスカーフ。
【発明の詳細な説明】
【技術分野】
【０００１】本発明はネクタイを、結びたくない紳士、障害者、年輩者、婦人、の方が手に持つて結びたくない方方に技術的に考えて、美しく成るようにネクタイの本体部を縫製によつて変形しないネクタイに仕上げる。
【背景技術】
【０００２】障害者、年輩者、婦人の方が結べるネクタイ生地で襟の廻りに回したネクタイ生地を襟の前に一回捻って一方の端を前記捻った部分の後ろから捻った部分を越して前方え垂らして他方の端の重ねた状態で前記捻った部分の下の位置に装着部材キメタイリングを装着する。【０００３】
【特許文献１】特開２０１０−４２１９５号公報
【発明の概要】
【発明が解決しようとする課題】
【０００４】特開２０１０−４２１９５号公報のポイントは夏の気候に適している首の廻りをの調整にキメタイリングを使用して首廻りの調整役をし今迄に無い新しいスタイルが男性の首び廻りに発明が出来た事は世の中に取って素晴らしい商品である。【０００５】特開２０１０−４２１９５号公開の問題点は（１）オシヤレ行為を仕度くない紳士（２）光るものを望まない（３）新しい商品を好まない紳士の方、色々な問題点もある。
学校卒業した若い男性がネクタイの結び方も、知らぬ間にネクタイを身に着けて社会え出られる若い男性達も数づ多く居ります。【０００６】ネクタイ生地が二重に重ねられた部分を前記捻った部分より狭い幅に絞った状態で保持する。保持手段を備えている事とネクタイ生地のゼザインした状態のままにネクタイ生地の本体部分三角部の裏側をデザインのままに縫製６ａ・６ｂ・６ｃ・他に依って三角形の形状を保持する事に依りネクタイ生地の可動片４の部分を引張って首の廻りに装着する。
【課題を解決するための手段】
【０００７】本発明の請求項１にかかるネクタイの形状部はネクタイを結んだ形状の裏側縫製６によて形状を固定化する。ネクタイ１の端部可動片４の端の先に見え隠れる、部分に抜け止め防止具を縫製によって取り付けて抜け止め防止とする。【０００８】請求項２にかかるネクタイはク−ルビズ対応の結び方の形式と同じにしてネクタイ１の三角形状の部分縫製６によってネクタイ１の形状を固定化するも今も変らない、結び方式と違った。クウ−ルビズ対応の結び方形状方式の可動片４の端の部分に抜けどめ防止具を縫製によって取り付け抜け止め防止とする。【０００９】本発明の請求項３にかかるネクタイ１は襟の前で１回捻って一方の端を前記捻った部分の後から捻った輪の中に広幅片３を通して前に垂らじ広幅片３長さを決めて決定して可動片４を引張って襟の廻りを調整する通常のネクタイ１の結び方で結ばれたネクタイ１の結び部を６ａ・６ｂ・６ｃを縫い込こんで固定化する又新しい方式で結んだ時に三角部の表面に皺が寄らない為に図９化粧板８をネクタイの広幅片３図４捻って輪の中え垂らす前の三角部に成る図８ネクタイ１の輪２の芯の部分え横にして縫製する図９化粧板８を縫製に依って縫い込んだ結ばなくても良いネクタイ。
【発明の効果】
【００１０】本発明にかかるネクタイ装着部材は襟の廻りに回したネクタイ１を襟の前で１回捻じる一方の端を前記捻った部分の後から捻った部分を越して前方え垂らして他方の端の上に重ねった状態で、前記捻った部分の下に装着する
ネクタイ装着部材であってネクタイ生地が二重に重ねられた部分を前記捻った部分より狭い幅に絞った状態で保持する保持手段を備えっている。ネクタイ１の形状を固定化する三角部の裏側縫製６に依り美観が上品で優れている。現在この様なネクタイが存在しない新方式の結び方は素晴らしい気分で装着できる。【００１１】本発明のネクタイは、今までは婦人専用ネクタイはあまり存在しない状態で此の度び此処に新方式で抜けどめの付いたネクタイは襟り回りが非常に上品で優れた商品価値を上げネクタイの装着部品である女性の方々は考える事が多様な為此の新しいネクタイ１の発明に付いては日本の優れた織物又絵又日本の美しい自然の風景をバックに沢山資源があります，素材であ京都の友禅織物。西陣織物有ります其の立派な織物を使って日本から外国女性の方々え提供できる。
【発明を実施するための形態】
【００１２】以下本発明にかかるネクタイ１を其の実施のけいたいを示した図面に基ずいて説明する。図１はネクタイ１の結び方を示したもので、ネクタイ１を人の首廻り依りも大きく環壮にしネクタイ１の結び目２を構成一方の端部である広幅片３と他端の可動片４を有しネクタイ１を襟に通し広幅片３を前面に配置し可動片４を引く事に依って環状部分の輪の大きさを調節する。
【００１３】図２は本発明の実施例を示した物でネクタイ１の結び２の固定部６ａ・６ｂ・６ｃ・を糸で縫つて広幅片３を結び目２に固定するが可動片４は結び目２の内側を移動させる事が出来る可動片４の端部には樹脂製の抜け止め防止具５が設けられて居り此の抜けどめ防止具５は結び目２を通過する幅よりも大きく構成されているのでネクタイ１を取り除く目的で結び目２を緩めて可動片４を移動させても結び目２で抜けどめ防止具５止められる。
【００１４】固定部６ａ・６ｂ・６ｃ・は外から見える場所で縫製されて居り又接着剤で固定する事も可能である。抜けどめ防止具５は薄く又薬品に解けない材質で制作して耐薬品性に優れた樹脂材料や金属を用いる事が可能である。抜けどめ防止具５の可動片４の固定方法は抜けど目防止具５の中央付近に２ヶ所設けられた穴を糸貫通され縫うことに依り仕上げる。又接着剤や面ファスナーを用いて固定してもよく可動片４の一部に袋を設けて収納しても良い。前記のように構成されたネクタイは図３のような完成形になる。
【００１５】襟首の調整する時に逆に引張り過ぎるとネクタイ１の可動片４が抜ける為に樹脂製又は金属製で弾性体で薄く細く折れない薬品で解け無い素材で制作して縫製に依って取り付ける形状に付いてはネクタイ１可動片４の寸法に依り変る、形状抜け止め目防止具５の制作に付いて可動片４寸法サイヅに依って抜けど目防止具５は決定する樹脂板で制作して縫製する穴を２個貫通し明けて縫い込んで見えない位置に芯の中に縫製に依って仕上げる。
【００１６】新しいネクタイの素材は、絹糸、合成樹脂糸、綿織物糸、その他の糸、があります
此のネクタイ１の素材は共通して縫製が出来る、首廻りのカッターシヤツの襟の中に入る部分可動片４斜線の部分がネクタイ１三角部の中を入ったり出たりする通過の際に織物の表面が毛羽立つ為にネクタイ１の可動片４の部分両端の部分を針と糸で縫い合わせをして縫い目を中心にしてアイロンで熱加工をして平らにするその事でネクタイ１の三角部を通過がスムーヅに通過する又ネクタイ１の可動片４の斜線の部分を平らした物を両端と中か面二ヶ所を縦方向にミシンでたたき縫いする事が毛羽立状態を無くする事が出来る。
【００１７】ネクタイの可動片４の斜線の部分平らにした部分両端と中面二ヶ所を縦方向にネクタイ１の（長さ方向）ミシンで叩き縫いする毛羽立状態を無くする事が出来る
又三角部の中を上下の狭い所の運動作用をする時にスム−ズに平ら状態が変形するのを防ぐ事が出来る。
【００１８】図４図５図６図７のネクタイは特に女性用として開発を行う女性の方々はデザイン価値に関する情熱依りも単価の問題で商品の購買力が高く成る事がある
其の条件でデザインと単価を考えネクタイ１の色、柄、製造、販売、を考えて制作する事は女性の持ち物として良い事に成る。
【００１９】ネクタイ１の縫製には一番目に目に付く首周りの三角部に皺が寄らない事と製縫の関係である事、図２図６ネクタイ１の三角部の図は裏側部分の絵である
三角部には縫製に依り金属又はナイロン糸綿織物糸で縫製に依り縫い止める
次の図２縫製６、６ａ・６ｂ・６ｃ・３ヶ所と図６縫製６、６ｄ他８ヶ所の位置を縫製に依り縫い止めて三角部に皺が寄らない様に美しく最高に仕上げる。
【００２０】図８図９図１０図１１ネクタイの絵図は普通の結び方で輪を作り其の輪の中を通すそして首の廻りを締めて調整する図８は締める基礎の展開図ある
昔も今も変わらないネクタイ１の結び方で其の結んだ時に男性が一番気に成る部分図１０の様にカッターシヤツの首の部分位置に来る三角部で表側（見える部分）の仕上りには一番気を使う場所でネクタイ１の長さ結び方等は縫製で綺麗に仕上げる。
【００２１】図９は新発明の基本である三角部に皺が寄らない為に図８図９番号８をネクタイ１の芯の部分に縫製に依って縫込んで針と糸で止める
ネクタイ１が結んだ状態の時に三角部に皺が寄らない為に図８図９図１０番号８化粧板が皺を伸ばしネクタイ１の仕上がりが美しく出来る。
【００２２】図１０のネクタイの絵はネクタイ１が襟の首の廻りで結んだ状態の裏側の三角部の絵で現在のネクタイ１は色々な種類が在ります此の度びの新発明のネクタイ１は普通のネクタイ１を使用して形状を変えつてるだけです
図１１、２の三角部の中を斜線であります可動片４の寸法的に狭く成って縦方向にミシンで縫い込んで仕上げる事による絹、ナイロン、綿各糸が毛羽立の防止をする事が出来る為に縦方向にミシンに依る縫製の仕上げをする。
【００２３】図２図６図１１此のネクタイは女性用又男用の首び廻りの絵図であるネクタイ１を首廻りに取り付ける祭に美しく整髪を崩す事に成ら無い様にネクタイの輪の部分の首び輪１０の位置、又他の位置に簡単に首輪の輪が磁石式  ，引掛式、ファスナー式で取替えが簡単に出来るようにする。又は此の装置は必要で無い事も有る。
【図面の簡単な説明】
【００２４】
【図１】本発明の従来例のネクタイ結び方を示した図
【図２】本発明の実施例のネクタイの結び方の状態を示した図
【図３】同ネクタイの結んだ状態を示した図
【図４】新しい婦人専用のキメタイの結び方を示した図
【図５】同ネクタイの結び方を示した図
【図６】本発明の実施例ネクタイの結び方を示した図
【図７】同ネクタイの結んだ後の状態を示した図
【図８】本発明の従来例のネクタイの結び方と新しい素材のネクタイの三角部の芯の部分に化粧板を入れって通状のネクタイの三角部の皺が寄らない仕上がりに成る構成図
【図９】本発明の三角結びの芯の中に入れ素材の形状の化粧板の図
【図１０】本発明のネクタイを締めた部分で三角部の中に入った化粧板図
【図１１】本発明のネクタイ一式を裏側より見たネクタイの全体図
【符号の説明】
【００２５】１    ネクタイの生地
２    結び目部分
３    幅広片（幅の広い方）
４    可動片（幅の狭い方）
５    抜けどめ防止具（ネクタイの番号４の先端部に抜けどめ防止の為の防止具）
６    ネクタイ三角部の裏側を縫製に依り固定化する（番号６）
７    ネクタイ三角形状の美の表現を提供するキメタイリングの装身具パーツ
８    ネクタイ三角部の（中に入れる）化粧板
９    ネクタイ三角部の化粧板の穴
１０  ネクタイの首び廻り輪を離脱ケ所
【図１】
2012007282.tif 000003
【図２】
2012007282.tif 000004
【図３】
2012007282.tif 000005
【図４】
2012007282.tif 000006
【図５】
2012007282.tif 000007
【図６】
2012007282.tif 000008
【図７】
2012007282.tif 000009
【図８】
2012007282.tif 000010
【図９】
2012007282.tif 000011
【図１０】
2012007282.tif 000012
【図１１】
2012007282.tif 000013